(57)【特許請求の範囲】
【請求項１】
ダイバーがつかまる取っ手を備えた船体に推進用のスラスタと左右旋回用のスラスタを備えて水中を航走可能としてなる水中遊泳補助装置における上記取っ手付近の船体に格納容器を取り付け、上記水中遊泳補助装置に取り付けた格納容器に、地球座標上における緯度方向と経度方向の移動量を計測できるようにしてある慣性航法装置と、上記慣性航法装置による移動量の計測を開始する地点の地球座標上における位置座標、及び、エントリーポイント又はエキジットポイントの地球座標上における位置座標を入力するための入力手段と、方位計と、深度計と、目的地の名称及び地球座標上における緯度と経度の位置座標と深度の情報を記憶するデータ記憶部と、上記慣性航法装置、上記入力手段、方位計、深度計、データ記憶部を接続した演算処理装置と、上記演算処理装置より出力される各種情報を表示するための表示部を収納してなり、上記表示部に、上記慣性航法装置による移動量の計測を開始する地点の地球座標上における位置座標に上記慣性航法装置により求められる緯度方向と経度方向の移動量を加える演算により検出される位置から、上記データ記憶部に記憶された目的地の位置座標へ向かうための方向及び距離と、該目的地の深度を表示できるようにした構成を有することを特徴とする水中用案内装置。
【請求項２】
水中遊泳補助装置の推進用及び左右旋回用の各スラスタを制御するための航走制御装置を、格納容器内に収納してある演算処理装置に接続して、慣性航法装置による移動量の計測を開始する地点の地球座標上における位置座標に上記慣性航法装置により求められる緯度方向と経度方向の移動量を加える演算により検出される位置から、データ記憶部に記憶された目的地の位置座標へ向かうための方向及び距離と、該目的地の深度の情報を、上記航走制御装置へも出力できるようにして、該目的地へ向かうように上記水中遊泳補助装置の航走を制御できるようにした請求項１記載の水中用案内装置。
【請求項３】
データ記憶部を、目的地の見所に関する情報を記憶させる機能を備えたものとし、慣性航法装置による移動量の計測を開始する地点の地球座標上における位置座標に上記慣性航法装置により求められる緯度方向と経度方向の移動量を加える演算により検出される位置が、上記データ記憶部に記憶された目的地の位置座標付近となると、表示部に、上記データ記憶部に記憶させてある上記目的地の見所に関する情報を表示できるようにした請求項１又は２記載の水中用案内装置。
【請求項４】
格納容器に、演算処理装置に接続した音響通信装置を備えて、船に設けた音響通信装置に対して、慣性航法装置による移動量の計測を開始する地点の地球座標上における位置座標に上記慣性航法装置により求められる緯度方向と経度方向の移動量を加える演算により検出される位置の座標を送信できるようにした請求項１、２又は３記載の水中用案内装置。
【発明の詳細な説明】
【技術分野】
【０００１】
本発明は、ダイビングを行うダイバーが水中でダイビングポイント等の各種目的地点を把握できるようにするための水中用案内装置に関するものである。
【背景技術】
【０００２】
海や湖でダイバーがダイビングする場合は、通常、熟練したダイバーが先導しながら一般的にダイビングポイントと云われる各地点を回るようにするか、あるいは、各ダイバーが、磁気方位計を持ち、自らの進行方向及び進行距離を把握し、これらの進行方向、進行距離、及び、周囲の景色を記憶して、その記憶に基づいてダイビングポイントに向かうようにしている。
【０００３】
ところで、パルス波の水中での音速と、該パルス波の到来する方向とを基に、ダイビングを行うダイバーが水中から目的とする船の方向と該船までの距離を把握できるようにするためのダイビングシステムが従来提案されている（たとえば、特許文献１参照）。
【０００４】
又、人がつかまるためのグリップ（取っ手）を備えた船体内に、水流推進式の電動ポンプ等の水中で推進力を生じる動力源を備えて、水中での人の遊泳を補助するための遊泳補助装置は従来知られている（たとえば、特許文献２参照）。
【先行技術文献】
【特許文献】
【０００５】
【特許文献１】特開平１０−１５３４５０号公報
【特許文献２】特開２００１−３０１６９０号公報
【発明の概要】
【発明が解決しようとする課題】
【０００６】
ところが、従来のダイビングは、熟練したダイバーの先導、又は、各ダイバーの記憶に頼ってダイビングポイントに到達するようにしているため、或るダイビングポイントを目的地とするダイビングをダイバー自身で行う場合には、相当の訓練と経験が必要とされていた。そのため、或るダイビングポイントを目的地として初心者のダイバー、あるいは、そのダイビングポイントに不慣れなダイバーがダイビングを行う場合は、先導するダイバーを必要とするというのが実情である。
【０００７】
なお、特許文献１に示されたダイビングシステムは、ダイバーが船の方向と距離を把握するためのものであるため、ダイビングポイントにダイバーを案内する機能は全く備えていない。
【０００８】
又、特許文献２に示されたような遊泳補助装置は、水中での人の遊泳を補助して、長距離を進む労力を低減するためには有用であるが、その進行方向を人に対して示唆する機能は全く備えていない。
【０００９】
そこで、本発明は、ダイバーに対してダイビングポイント等の目的地までの方向や距離等の情報を提示すると共に、ダイビングを終了するダイバーに対してエキジットするポイントまでの方向や距離等の情報を提示することができて、先導のダイバーがいない場合や、不慣れな目的地であっても、該目的地を回るための補助になる水中用案内装置を提供しようとするものである。
【課題を解決するための手段】
【００１０】
本発明は、上記課題を解決するために、請求項１に対応して、ダイバーがつかまる取っ手を備えた船体に推進用のスラスタと左右旋回用のスラスタを備えて水中を航走可能としてなる水中遊泳補助装置における上記取っ手付近の船体に格納容器を取り付け、上記水中遊泳補助装置に取り付けた格納容器に、地球座標上における緯度方向と経度方向の移動量を計測できるようにしてある慣性航法装置と、上記慣性航法装置による移動量の計測を開始する地点の地球座標上における位置座標、及び、エントリーポイント又はエキジットポイントの地球座標上における位置座標を入力するための入力手段と、方位計と、深度計と、目的地の名称及び地球座標上における緯度と経度の位置座標と深度の情報を記憶するデータ記憶部と、上記慣性航法装置、上記入力手段、方位計、深度計、データ記憶部を接続した演算処理装置と、上記演算処理装置より出力される各種情報を表示するための表示部を収納してなり、上記表示部に、上記慣性航法装置による移動量の計測を開始する地点の地球座標上における位置座標に上記慣性航法装置により求められる緯度方向と経度方向の移動量を加える演算により検出される位置から、上記データ記憶部に記憶された目的地の位置座標へ向かうための方向及び距離と、該目的地の深度を表示できるようにした構成とする。
【００１２】
上記構成において、水中遊泳補助装置の推進用及び左右旋回用の各スラスタを制御するための航走制御装置を、格納容器内に収納してある演算処理装置に接続して、慣性航法装置による移動量の計測を開始する地点の地球座標上における位置座標に上記慣性航法装置により求められる緯度方向と経度方向の移動量を加える演算により検出される位置から、データ記憶部に記憶された目的地の位置座標へ向かうための方向及び距離と、該目的地の深度の情報を、上記航走制御装置へも出力できるようにして、該目的地へ向かうように上記水中遊泳補助装置の航走を制御できるようにした構成とする。
【００１３】
上述の各構成において、データ記憶部を、目的地の見所に関する情報を記憶させる機能を備えたものとし、慣性航法装置による移動量の計測を開始する地点の地球座標上における位置座標に上記慣性航法装置により求められる緯度方向と経度方向の移動量を加える演算により検出される位置が、上記データ記憶部に記憶された目的地の位置座標付近となると、表示部に、上記データ記憶部に記憶させてある上記目的地の見所に関する情報を表示できるようにした構成とする。
【００１４】
更に、上記各構成において、格納容器に、演算処理装置に接続した音響通信装置を備えて、船に設けた音響通信装置に対して、慣性航法装置による移動量の計測を開始する地点の地球座標上における位置座標に上記慣性航法装置により求められる緯度方向と経度方向の移動量を加える演算により検出される位置の座標を送信できるようにした構成とする。
【発明の効果】
【００１５】
本発明の水中用案内装置によれば、以下のような優れた効果を発揮する。 
（１）ダイバーがつかまる取っ手を備えた船体に推進用のスラスタと左右旋回用のスラスタを備えて水中を航走可能としてなる水中遊泳補助装置における上記取っ手付近の船体に格納容器を取り付け、上記水中遊泳補助装置に取り付けた格納容器に、地球座標上における緯度方向と経度方向の移動量を計測できるようにしてある慣性航法装置と、上記慣性航法装置による移動量の計測を開始する地点の地球座標上における位置座標、及び、エントリーポイント又はエキジットポイントの地球座標上における位置座標を入力するための入力手段と、方位計と、深度計と、目的地の名称及び地球座標上における緯度と経度の位置座標と深度の情報を記憶するデータ記憶部と、上記慣性航法装置、上記入力手段、方位計、深度計、データ記憶部を接続した演算処理装置と、上記演算処理装置より出力される各種情報を表示するための表示部を収納してなり、上記表示部に、上記慣性航法装置による移動量の計測を開始する地点の地球座標上における位置座標に上記慣性航法装置により求められる緯度方向と経度方向の移動量を加える演算により検出される位置から、上記データ記憶部に記憶された目的地の位置座標へ向かうための方向及び距離と、該目的地の深度を表示できるようにした構成としてあるので、表示部に表示させる情報により、ダイバーに対し、目的地に向かう遊泳の案内を行うことができて、ダイバーが上記目的地により容易に到達するための補助をすることができる。 
（２）目的地の観察を終えたダイバーに対しては、表示部にエントリーポイント又はエキジットポイントまでの方向と距離による情報を提供するようにすることにより、上記ダイバーに対し、エントリーポイント又はエキジットポイントに向かう遊泳を案内することができて、ダイバーが容易にエキジットするための補助をすることが可能になる。
（３）以上により、先導のダイバーがいない場合や、不慣れな目的地であっても、該目的地を回るダイバーに対して、情報提供による補助を行うことができるため、該ダイバーが、上記目的地を回り易くなる効果が期待できる。
（４）水中遊泳補助装置の推進用及び左右旋回用の各スラスタを制御するための航走制御装置を、格納容器内に収納してある演算処理装置に接続して、慣性航法装置による移動量の計測を開始する地点の地球座標上における位置座標に上記慣性航法装置により求められる緯度方向と経度方向の移動量を加える演算により検出される位置から、データ記憶部に記憶された目的地の位置座標へ向かうための方向及び距離と、該目的地の深度の情報を、上記航走制御装置へも出力できるようにして、該目的地へ向かうように上記水中遊泳補助装置の航走を制御できるようにした更に、上記（１）（２）（３）の効果に加えて、水中遊泳補助装置の航走を活用して、ダイバーが目的地へ速やかに到達するための補助を行うことができる。
はない。
【図面の簡単な説明】
【００１６】
【図１】本発明の水中用案内装置の実施の一形態のシステム構成の概要を示す図である。
【図２】図１の装置における表示部の表示の一例を示す概要図である。
【図３】本発明の実施の他の形態を示すもので、システム構成の概要を示す図である。
【図４】図３の装置による船との音響通信を行う状態の概略を示す図である。
【図５】本発明の実施の更に他の形態を示すもので、（イ）は概略平面図、（ロ）は概略側面図である。
【図６】本発明の実施の更に他の形態として、図５の実施の形態の応用例を示すシステム構成の概要図である。
【図７】本発明の実施の更に他の形態として、別の水中遊泳補助装置を採用した例を示すもので、（イ）は一部切断概略平面図、（ロ）は概略側面図である。
【図８】図７の装置におけるシステム構成の概要を示す図である。
【発明を実施するための形態】
【００１７】
以下、本発明を実施するための形態を図面を参照して説明する。
【００１８】
図１及び図２は本発明の水中用案内装置の実施の一形態を示すもので、以下のようにしてある。
【００１９】
すなわち、図１に示す本発明の水中用案内装置１は、図示しないジャイロと複数の軸方向の加速度計を備えて加速度の２階積分により地球座標上における緯度方向と経度方向の移動量を計測できるようにしてある慣性航法装置３と、上記慣性航法装置３による移動量の計測を開始する地点の地球座標上における位置座標の入力と、エントリーポイントが上記慣性航法装置３による移動量計測開始地点と異なる場合は、該エントリーポイントの地球座標上における位置座標の入力、更に、エキジットポイントが上記エントリーポイントと異なる場合は、該エキジットポイントの地球座標上における位置座標の入力を行うための入力手段４と、本発明の水中用案内装置１自体が向いている方位を計測するための方位計５と、作用する水圧を基に本発明の水中用案内装置１が位置している深度を計測するための深度計６と、目的地としてのダイビングポイントの名称、及び、該ダイビングポイントの地球座標上における緯度と経度の位置座標と深度、更には、必要に応じて上記ダイビングポイントの情報、たとえば、見所となる地形やダイビングポイントでよく観察される生物の情報等をデータとして記憶するためのデータ記憶部７と、上記慣性航法装置３、入力手段４、方位計５、深度計６、データ記憶部７を接続したマイクロコンピュータのような演算処理装置２と、上記演算処理装置２より出力される各種情報を表示するための表示部８を備え、更に、上記入力手段４を外部よりアクセス可能に、又、深度計６を外部の水圧を計測可能に、更に、上記表示部８を外部より目視可能にした状態で上記各構成要素２，３，４，５，６，７，８を水密の格納容器９に収納した構成とする。
【００２０】
詳述すると、上記入力手段４は、たとえば、或るダイビングポイントにダイビングする際に、慣性航法装置３による移動量計測開始地点が、たとえば、その近辺のダイビングショップや、エントリーするビーチの所定個所等、地球座標上で移動しない地点である場合は、その緯度及び経度をキーボード等で手入力するか、又は、適切に防水を図ることが可能な端子や通信ポートを介してデータとして入力できるようにした構成とすればよい。又、上記慣性航法装置３による移動量計測開始地点が地球座標上で移動する場合は、ＧＰＳにより計測した該地点の緯度及び経度の座標値を、適切に防水を図ることが可能な端子や通信ポートを介してデータとして入力できるようにした構成とすればよい。
【００２１】
又、エントリーポイントが上記慣性航法装置３による移動量計測開始地点と異なる場合は、上記入力手段４は、上記と同様に、エントリーポイントが或るビーチの所定個所等、地球座標上で移動しない地点である場合は、その緯度及び経度をキーボード等で手入力するか、又は、適切に防水を図ることが可能な端子や通信ポートを介してデータとして入力する構成とすればよい。又、上記エントリーポイントが地球座標上で移動する場合は、ＧＰＳにより計測した該地点の緯度及び経度の座標値を、適切に防水を図ることが可能な端子や通信ポートを介してデータとして入力できるようにした構成とすればよい。
【００２２】
もしくは、上記慣性航法装置３により移動量の計測を開始した後に、ダイバーがエントリーポイントに達した時点で、上記入力手段４を操作して、その時点で本発明の水中用案内装置１が配置されている位置の座標、すなわち、上記慣性航法装置３による移動量計測開始地点で移動量の計測を開始してから、その時点までに該慣性航法装置３により計測されている緯度と経度の移動量を、上記移動量計測開始地点の位置座標に加える演算を、たとえば、上記演算処理装置２で行わせて求めた位置座標を、上記エントリーポイントの位置座標として演算処理装置２へ指示できるようにした構成としてもよい。
【００２３】
なお、エキジットポイントが上記エントリーポイントと異なる場合は、入力手段４は、該エキジットポイントの地球座標上における緯度及び経度を、キーボード等で手入力するか、又は、適切に防水を図ることが可能な端子や通信ポートを介してデータとして入力できるようにしてあるものとする。
【００２４】
更に又、上記入力手段４は、ダイバーが行きたい目的地としてのダイビングポイントを指定するための入力や、エントリーポイントと同一又は異なるエキジットポイントでのエキジットを望む場合の入力を行うことができるようにしてあるものとする。
【００２５】
上記慣性航法装置３は、上記移動量計測開始地点での移動量の計測が開始されると、所要の時間間隔で、地球座標上における緯度方向と経度方向の加速度を基に、上記移動量計測開始地点からの地球座標上における緯度方向と経度方向の移動量を順次繰り返し計測して演算処理装置２へ出力するようにしてある。
【００２６】
上記演算処理装置２は、上記入力手段４により上記慣性航法装置３による移動量計測開始地点の位置座標が入力された後、上記慣性航法装置３による移動量の計測が開始されると、上記慣性航法装置３より所要の時間間隔で入力される緯度と経度の移動量の計測値と、上記移動量計測開始地点の位置座標とを基に、本発明の水中用案内装置１自身の地球座標上における緯度と経度の位置座標を常時検出するようにしてある。
【００２７】
更に、上記入力手段４によりダイバーが行きたい目的地としてのダイビングポイントが指定されると、上記演算処理装置２は、上記データ記憶部７に記憶してある上記目的地となるダイビングポイントの地球座標上における緯度及び経度を呼び出して、上述したように常時検出している本発明の水中用案内装置１自身の地球座標上における緯度及び経度との差分を求め、両者の差分に基づき、該本発明の水中用案内装置１が配置されている位置から、上記目的地となるダイビングポイントまでの距離と方位を求めるようにしてある。このうち、求めた方位については、上記方位計５より入力される本発明の水中用案内装置１の向いている方位との差分を更に演算し、その結果を上記表示部８へ出力することで、該表示部８に、図２に示すように、たとえば、上記目的地となるダイビングポイントの名称１０と、図中に矢印１１で示すような該ダイビングポイントの方向と、該ダイビングポイントまでの距離１２を表示させ、更に、データ記憶部７より呼び出した目的地となるダイビングポイントの深度１３を表示させることができるようにしてある。
【００２８】
又、上記演算処理装置２は、上記深度計６より入力される本発明の水中用案内装置１自身が位置している深度を、上記表示部８に現在深度１４として表示させるようにしてもよい。
【００２９】
更に、上記演算処理装置２は、上述したように常時検出している本発明の水中用案内装置１自身の地球座標上における緯度及び経度と、上記目的地として指定されたダイビングポイントの地球座標上における緯度及び経度との差分とにより求まる距離が、たとえば、数ｍ以内とほぼ一致し、更に、深度計６より入力される上記本発明の水中用案内装置１が位置している深度が、上記ダイビングポイントの深度１３が数ｍ以内とほぼ一致すると、上記データ記憶部７より目的地として到達したダイビングポイントについて呼び出した見所となる地形やよく観察される生物の情報を表示できるようにしてある。これにより、本発明の水中用案内装置１を保持してエントリーしたダイバーに対し、該本発明の水中用案内装置１の表示部８に表示される目的とするダイビングポイントの方向（矢印１１）、ダイビングポイントまでの距離１２、ダイビングポイントの深度１３を示唆して、ダイバーの遊泳を案内することができるようにしてあり、更に、該ダイビングポイント付近に到達したダイバーに対しては、上記表示部８の表示により、見所となる地形やよく観察される生物の情報を提供できるようにしてある。
【００３０】
なお、上記演算処理装置２は、上記入力手段４より入力されたエントリーポイント又はエキジットポイントについての緯度及び経度と、上述したように常時検出している本発明の水中用案内装置１自身の地球座標上における緯度及び経度との差分から、上記エントリーポイント又はエキジットポイントまでの距離と方位を常時求め、更に、方位については、上記方位計５より入力される本発明の水中用案内装置１の向いている方位との差分を更に演算して、上記エントリーポイント又はエキジットポイントまでの距離と方向について、表示部８に常時表示するか、あるいは、入力手段４の操作によりいつでも表示できるように待機してあるものとする。これにより、上記ダイビングポイントの観察をした後のダイバーがエキジットを望む場合や、ダイバーが体調不良等の不測の事態が生じたことに起因してエキジットを望む場合は、ダイバーに対し、上記表示部８に常時表示、あるいは、入力手段４の操作により即表示させるようにしてある上記エントリーポイント又はエキジットポイントまでの距離と方向にしたがって遊泳を案内することができるようにしてある。
【００３１】
なお、図示してないが、上記格納容器９内には、二次電池又は燃料電池のような電源を備えて、該格納容器９に設ける上記各構成要素２，３，４，５，６，７，８に電力を供給できるようにしてあるものとする。
【００３２】
このように、本発明の水中用案内装置１によれば、ダイバーに対し、表示部８に表示される目的地とするダイビングポイントの方向１１、ダイビングポイントまでの距離１２、ダイビングポイントの深度１３による情報を提供することができるため、ダイバーが、上記ダイビングポイントに向かう遊泳を案内することができて、ダイバーが上記目的地とするダイビングポイントにより容易に到達するための補助をすることができる。
【００３３】
又、上記ダイビングポイントでは、ダイバーに対し、見所についての情報を、表示部８の表示により提供することができるため、該ダイビングポイントでの見所の観察の補助をすることができる。
【００３４】
上記のようにして目的地としたダイビングポイントの観察を終えたダイバーに対しては、本発明の水中用案内装置１の表示部８に表示されるエントリーポイント又は予め別に設定したエキジットポイントまでの方向と距離による情報を提供することで、上記エントリーポイント又は別のエキジットポイントに向かう遊泳を案内することができて、ダイバーが容易にエキジットするための補助をすることが可能になる。
【００３５】
よって、先導のダイバーがいない場合や、不慣れなダイビングポイントであっても、該ダイビングポイントを回るダイバーに対し、情報提供による補助を行うことができるため、該ダイバーが、上記ダイビングポイントを回り易くなる効果が期待できる。
【００３６】
なお、上記においては、目的地として１つのダイビングポイントについての案内を行う場合について示したが、複数のダイビングポイントを、その回る順序と共に入力手段４より入力して演算処理装置２に予め目的地として設定するか、あるいは、或るダイビングポイントに到達したダイバーが、入力手段を操作することで表示部８に、データ記憶部７に記憶してあるその周辺の別のダイビングポイントまでの距離や方向等の概略を呼び出すことができるようにすると共に、一つのダイビングポイントを次の目的地として選択できるようにして、一度のダイビングで、複数の目的地としてのダイビングポイントを順次回るための案内を行うことができるようにしてもよい。
【００３７】
次に、図３及び図４は本発明の実施の他の形態を示すもので、図１及び図２に示したと同様の構成において、格納容器９に音響通信装置１５を設けると共に、該音響通信装置１５を、演算処理装置２に接続してなる構成として水中用案内装置１ａとしたものである。
【００３８】
更に、上記演算処理装置２は、入力手段４により入力される慣性航法装置３による移動量計測開始地点の位置座標と、上記慣性航法装置３より所要の時間間隔で入力される緯度と経度の移動量の計測値を基に常時検出するようにしてある本実施の形態の水中用案内装置１ａの自身の地球座標上における緯度と経度の位置座標を、上記音響通信装置１５へ出力できるようにしてある。
【００３９】
なお、上記音響通信装置１５は、図４に示すように、船１６に装備した音響通信装置１７との間で音響通信を行うことができるようにしてあるものとする。１８は本実施の形態の水中用案内装置１ａを保持したダイバーを示す。
【００４０】
その他の構成は図１及び図２に示したものと同様であり、同一のものには同一の符号が付してある。
【００４１】
以上の構成としてある本実施の形態の水中用案内装置１ａによれば、図１及び図２の実施の形態と同様の効果に加えて、上記音響通信装置１５と１７を介した音響通信により、上記船１６に対して本実施の形態の水中用案内装置１ａの現在地を常に送信することができるため、該船１６側で、本実施の形態の水中用案内装置１ａを保持したダイバー１８の現在地を容易に把握することができるようになるため、ボートエントリーするダイバー１８に対し案内を行う場合により好適なものとすることができる。
【００４２】
更に、上記図３及び図４の実施の形態において、水中用案内装置１ａを保持したダイバー１８と、船１６上の人（図示せず）との間で、音響通信装置１５と１７を介した音響通信により、上記該ダイバーの位置している現在地より潜水許容時間内で回ることが可能なダイビングポイントの示唆のリクエストと、その返答の送受信を行わせるようにしたり、ダイバー１８が保持している水中用案内装置１ａの表示部に、上記船１６側より音響通信装置１７と１５を介した音響通信により、予めデータ記憶部７に記憶させてあるエキジットを促すメッセージを表示させるための指令を発するようにする等、上記本実施の形態の水中用案内装置１ａの現在地を伝える以外の情報伝達を行うことができるようにしてもよい。
【００４３】
次いで、図５（イ）（ロ）は本発明の実施の更に他の形態を示すもので、図１及び図２に示した水中用案内装置１と同様の構成における格納容器９を、ダイバーがつかまるための取っ手２１を備えた船体２０に推進用のスラスタ２２と左右旋回用のスラスタ２３を備えてなる水中遊泳補助装置１９における上記船体２０の取っ手２１付近に取り付けて、上記水中遊泳補助装置１９一体型の水中用案内装置１ｂとしたものである。
【００４４】
なお、上記格納容器９は、該格納容器９に収納した表示部８が、上記水中遊泳補助装置１９の取っ手２１につかまるダイバー（図示せず）が見易いように配置した状態で、該水中遊泳補助装置１９の船体２０に取り付けてあるものとする。その他、上記格納容器９に収納された機器構成は図１及び図２に示したものと同様としてあるものとする。
【００４５】
本実施の形態によれば、ダイバーが、上記水中遊泳補助装置１９の取っ手２１につかまった状態で、上記表示部８に表示される目的地としてのダイビングポイントの方向１１と、ダイビングポイントまでの距離１２と、ダイビングポイントの深度１３（図２参照）の情報を基に、上記水中遊泳補助装置１９の航走方向を操作するようにさせれば、上記ダイビングポイントへ速やかに到達するための補助を行うことができるようになる。
【００４６】
更に、図６は、本発明の実施の更に他の形態を示すもので、図５（イ）（ロ）に示したと同様の水中遊泳補助装置１９一体型の水中用案内装置１ｂにおいて、水中遊泳補助装置１９の推進用及び左右旋回用の各スラスタ２２，２３を制御するための航走制御装置２４を、上記格納容器９内に収納してある演算処理装置２に接続して、該演算処理装置２で演算して上記表示部８に出力するようにしてある目的地としてのダイビングポイントの方向１１と、ダイビングポイントまでの距離１２と、ダイビングポイントの深度１３（図２参照）の情報を、上記航走制御装置２４へも出力できるようにした構成としたものである。
【００４７】
上記航走制御装置２４は、上記水中遊泳補助装置１９の推進用及び左右旋回用の各スラスタ２２，２３を、上記演算処理装置２より入力される目的地となるダイビングポイントの方向１１と、ダイビングポイントまでの距離１２と、ダイビングポイントの深度１３（図２参照）の情報を基に自動制御することができる機能を有する構成としてあるものとする。
【００４８】
以上の構成としてある本実施の形態の水中用案内装置１ｂによれば、上記水中遊泳補助装置１９を、目的地とするダイビングポイントまで自動的に航走させることが可能になるため、水中遊泳補助装置１９の取り扱いに慣れていないダイバーに対しても、上記目的地とするダイビングポイントへ速やかに且つより少ない労力で到達するための補助を行うことができるようになる。
【００４９】
なお、上記図６の実施の形態では、図５（イ）（ロ）に示したと同様の水中遊泳補助装置１９、すなわち、船体２０に推進用スラスタ２２と左右旋回用スラスタ２３を備えてなる構成の水中遊泳補助装置１９を採用して、水中用案内装置１ｂに備えた航走制御装置２４により、該水中遊泳補助装置１９の上記推進用スラスタ２２及び左右旋回用スラスタ２３を自動制御するものとして示したが、水中遊泳補助装置として、図７（イ）（ロ）に示す如く、船体２０の所要個所、たとえば、推進用スラスタ２２の出口部分と、船体２０の後部下側に、エレベータ（昇降舵）２５と、ラダー（縦舵）２６をそれぞれ装備してなる構成の水中遊泳補助装置１９ａを用いる場合は、図８に示すように、水中用案内装置１ｂの航走制御装置２４により、上記水中遊泳補助装置１９ａにおけるエレベータ２５とラダー２６を制御対象として、演算処理装置２より入力される目的地としてのダイビングポイントの方向１１と、ダイビングポイントまでの距離１２と、ダイビングポイントの深度１３（図２参照）の情報を基に自動制御させるようにして、該水中遊泳補助装置１９ａを、上記目的地となるダイビングポイントへ向けて航走させるようにすればよい。図７（イ）（ロ）及び図８において、図５（イ）（ロ）及び図６に示したものと同一のものには同一符号が付してある。
【００５０】
更には、図５（イ）（ロ）の実施の形態、図６の実施の形態、図７（イ）（ロ）及び図８の実施の形態において、水中遊泳補助装置１９，１９ａとしては、ダイバーが取っ手２１につかまった状態で水中を航走させることができ、且つ様々な方向へ向かう運動性を備えていれば、たとえば、推進用スラスタ２２を船体２０の側部に設けた構成としたり、スラスタ以外の推進装置を採用したり、上下方向に操舵するための別のスラスタを備えるようにしたり、船体２０の所要個所に上下左右方向に操舵するための図７（イ）（ロ）に示した以外の形式の舵を備えた構成としたり、推進用スラスタ２２の出口部分に設けたノズルや推進用スラスタ２２自体の向きを変えることで操舵を行うようにする等、図示した以外のいかなる推進形式、操舵形式の水中遊泳補助装置を採用してもよい。
【００５１】
したがって、上記水中遊泳補助装置を目的地としてのダイビングポイントまで自動的に航走させるために演算処理装置２より入力される目的地となるダイビングポイントの方向１１と、ダイビングポイントまでの距離１２と、ダイビングポイントの深度１３（図２参照）の情報を基に、ダイバー案内装置１ｂの航走制御装置２４で制御する対象は、上記水中遊泳補助装置の推進形式、操舵形式に応じて適宜変更してよい。
【００５２】
又、本発明は上記実施の形態のみに限定されるものではなく、格納容器９内にＧＰＳ（図示せず）を備えて、該ＧＰＳにより検出される地球座標上における本発明の水中用案内装置１，１ａ，１ｂの緯度及び経度を基に、慣性航法装置３による移動量計測開始地点や、エントリーポイントについての位置情報を得るようにしてもよい。
【００５３】
本発明の水中用案内装置１，１ａ，１ｂは、ファンダイビング以外の商業潜水に用いるようにしてもよい。この場合は、本発明の水中用案内装置１，１ａ，１ｂが慣性航法装置３により検出される移動量を基に目的地としてのダイビングポイント付近に到達した時点で、ダイビングポイントにおける見所の情報に代えて、データ記憶部７に予め記憶してある該ダイビングポイントで行う作業内容や作業対象等についての情報を表示させるようにしてもよい。
【００５４】
図２に示した表示部８における情報表示は一例であり、各種情報の配置やサイズは適宜変更してもよい。又、通常、ダイバーはダイビング用の機材の１つとして、深度計を身に付けるようにしてあることに鑑みて、表示部８における現在深度１４の表示を省略してもよい。
【００５５】
更には、目的地としてのダイビングポイントへ至る過程においても、本発明の水中用案内装置１，１ａ，１ｂが自身で検出している緯度及び経度を基に、上記目的地とするダイビングポイントに効率よく到達するための経路を示唆するための情報を表示させる等、表示する情報は適宜増加させてもよい。
【００５６】
その他本発明の要旨を逸脱しない範囲内で種々変更を加え得ることは勿論である。
【符号の説明】
【００５７】
１，１ａ，１ｂ  水中用案内装置
２  演算処理装置
３  慣性航法装置
４  入力手段
５  方位計
６  深度計
７  データ記憶部
８  表示部
９  格納容器
１１  ダイビングポイントの方向（目的地の位置座標へ向かうための方向）
１２  ダイビングポイントまでの距離（目的地の位置座標へ向かうための距離）
１３  ダイビングポイントの深度（目的地の深度）
１６  船
１５  音響通信装置
１７  音響通信装置
１９，１９ａ  水中遊泳補助装置
２４  航走制御装置
【図１】
0005614078.tif 000002
【図２】
0005614078.tif 000003
【図３】
0005614078.tif 000004
【図４】
0005614078.tif 000005
【図５】
0005614078.tif 000006
【図６】
0005614078.tif 000007
【図７】
0005614078.tif 000008
【図８】
0005614078.tif 000009